(57)【要約】      （修正有）【課題】網戸からの雨の吹き込み等を防止することが可能であり、安価で使い勝手が良好なルーバー付障子を提供する。【解決手段】引き違いで開閉可能な室外側障子および室内側障子が配設された窓の支持枠に配設されるルーバー付障子１００であって、該ルーバー付障子１００の縦枠体８０を形成する二本の縦枠部材８４，８４間に掛け渡す配置で取り付けられたルーバー板８８を備え、該ルーバー板８８は、縦枠体８０の高さ方向において、縦枠体８０の室外側位置と室内側位置とに交互に配設されていることを特徴とするルーバー付障子１００である。【選択図】図４
0003166824.tif 000002
【実用新案登録請求の範囲】
【請求項１】
引き違いで開閉可能な室外側障子および室内側障子が配設された窓の支持枠に配設されるルーバー付障子であって、
前記ルーバー付障子の縦枠体を形成する二本の縦枠部材間に掛け渡す配置で取り付けられたルーバー板を備え、
前記ルーバー板は、前記縦枠体の高さ方向において、該縦枠体の室外側位置と室内側位置とに交互に配設されていることを特徴とするルーバー付障子。
【請求項２】
前記ルーバー付障子は、該ルーバー付障子の室内側面が、前記室内側障子の室外側面よりも室外側の位置となるように、前記窓の支持枠に配設されていることを特徴とする請求項１記載のルーバー付障子。
【請求項３】
前記ルーバー付障子は、前記室外側障子が配設されている障子用レールに配設されていることを特徴とする請求項１または２記載のルーバー付障子。
【請求項４】
前記室外側位置と前記室内側位置とで隣接する前記ルーバー板は、該ルーバー板の高さ方向の一部が重複するようにして取り付けられていることを特徴とする請求項１〜３のうちのいずれか一項に記載のルーバー付障子。
【請求項５】
前記縦枠体は高さ方向において複数に分割された縦枠部材が連結されて形成されていることを特徴とする請求項１〜４のうちのいずれか一項に記載のルーバー付障子。
【請求項６】
前記ルーバー板は、前記２本の縦枠部材間に掛け渡された水平保持部材に取り付けられていることを特徴とする請求項１〜５のうちのいずれか一項に記載のルーバー付障子。
【考案の詳細な説明】
【技術分野】
【０００１】
本考案は、室内への通気を確保しつつも室内への雨の吹き込みを防止することが可能なルーバー付障子に関する。
【背景技術】
【０００２】
室内と室外との間で空気のみを流通させようとする際には、網戸が広く用いられている。このように網戸を用いることにより、室内と室外との間で通気を確保しつつも室外から室内への虫等の侵入を防止することができる。
網戸が主に用いられる夏場においては、建物の上層階が屋根からの熱により室温が上昇しすぎてしまうため、上層階の窓は網戸にしたままの状態になっていることが多い。このような状態において不意に雨が降ると、風の状態によっては、雨が網戸から室内に吹き込んでしまい、室内が濡れてしまうことがあるといった不具合が問題になっていた。
【０００３】
このような問題点を鑑み、網戸からの雨の吹き込みを防ぐための吹き込み防止策が施された網戸がいくつか提案されている。このような網戸の構成としては、例えば特許文献１や特許文献２に開示されているようなものが知られている。
【先行技術文献】
【特許文献】
【０００４】
【特許文献１】実開平６−８２３９４号公報
【特許文献２】特開平１０−１８２４６号公報
【考案の概要】
【考案が解決しようとする課題】
【０００５】
特許文献１には、網戸の外側に複数の傾斜板を取り付けた構成が開示されている。具体的には、下向きに拡角させた状態で網戸の枠板に傾斜板を固定することで、雨等の吹き込みを防止することを可能にした網戸の構成が開示されている。
また、特許文献２には、網戸の外枠の外側に着脱可能な枠材の外面に、下向きに拡角させた状態の複数の雨よけ材を配設した網戸用雨よけ具の構成が開示されている。
【０００６】
これらのように特許文献１および特許文献２には、何れも網戸自体にいわゆるルーバー板と呼ばれる傾斜板を所定の状態で取り付けすることで網戸からの雨の吹き込みを防止する構成が開示されている。
しかしながらこれら特許文献１および特許文献２における構成では、網戸そのものに対するルーバー板の取り付け加工が必要になるため煩雑であり、網戸へのルーバー板の取り付け加工費用が高騰し、吹き込み防止を可能にした網戸を低コストで提供することが困難であるという課題がある。
【０００７】
そこで本考案は、網戸からの雨の吹き込み等を防止することが可能であり、安価で使い勝手が良好なルーバー付障子の提供を目的としている。
【課題を解決するための手段】
【０００８】
上記課題を解決するために本考案者は鋭意研究を行った結果、以下の構成に想到した。
すなわち、引き違いで開閉可能な室外側障子および室内側障子が配設された窓の支持枠に配設されるルーバー付障子であって、前記ルーバー付障子の縦枠体を形成する二本の縦枠部材間に掛け渡す配置で取り付けられたルーバー板を備え、前記ルーバー板は、前記縦枠体の高さ方向において、該縦枠体の室外側位置と室内側位置とに交互に配設されていることを特徴とするルーバー付障子である。
【０００９】
また、前記ルーバー付障子は、該ルーバー付障子の室内側面が、前記室内側障子の室外側面よりも室外側の位置となるように、前記窓の支持枠に配設されていることを特徴とする。
また、前記ルーバー付障子は、前記室外側障子が配設されている障子用レールに配設されていることを特徴とする。
これらにより、網戸よりも室内側にルーバー付障子が配設されることになり、室内への雨の吹き込みを確実に防止することができる。
【００１０】
また、前記室外側位置と前記室内側位置とで隣接する前記ルーバー板は、該ルーバー板の高さ方向の一部が重複するようにして取り付けられていることを特徴とする。これにより、室内への雨の吹き込みをより確実に防止することができる。
【００１１】
また、前記縦枠体は高さ方向において複数に分割された縦枠部材が連結されて形成されていることを特徴とする。これにより、ルーバー付障子を配設する窓の支持枠に対する取り付け状態を適宜調整することができ、窓の支持枠内におけるルーバー付障子のガタつきを抑え、円滑な動作が実現する。
【００１２】
また、前記ルーバー板は、前記２本の縦枠部材間に掛け渡された水平保持部材に取り付けられていることを特徴とする。これによりルーバー板を確実に保持することができるため、ルーバー板の破損を防止することができる点においても好都合である。
【考案の効果】
【００１３】
本考案にかかるルーバー付障子によれば、ルーバー板が障子の縦枠体に対して室内側面と室外側面の交互に取り付けられているため、雨の吹き込みを確実に防止することができる。また、ルーバー付障子の縦枠体に対するルーバー板の取り付け構造が単純であるため、ルーバー付障子を低コストで製造することが可能になる。
【図面の簡単な説明】
【００１４】
【図１】第１実施形態におけるルーバー付障子を配設した引き違い方式の窓の概略構成を室内側から臨んだ正面図である。
【図２】第１実施形態におけるルーバー付障子を構成する上横枠体と縦枠体と下横枠体の組み立て前の状態を示す斜視図である。
【図３】図２の上横枠体と縦枠体と下横枠体を組み立てた状態を示す斜視図である。
【図４】図３中のＡ−Ａ線における断面図である。
【図５】第２実施形態にかかるルーバー付障子を配設した引き違い方式の窓の概略構成を室内側から臨んだ正面図である。
【考案を実施するための最良の形態】
【００１５】
（第１実施形態）
以下、本考案にかかるルーバー付障子の実施形態について図面に基づいて説明する。
図１に示すように本実施形態にかかるルーバー付障子１００は、引き違いで開閉可能な室外側障子１０および室内側障子２０と、網戸３０が組み込まれている窓の支持枠５０に取り付けて用いるものである。支持枠５０には室外側から網戸３０、室外側障子１０、ルーバー付障子１００、室内側障子２０の順に取り付けられており、何れも支持枠５０に着脱自在である。本実施形態にかかるルーバー付障子１００は、室外側障子１０がスライドする障子用レールと同じ障子用レールに配設されている。
【００１６】
室外側障子１０、室内側障子２０、網戸３０、支持枠５０の構成はそれぞれ公知であるので、ここでは室外側障子１０、室内側障子２０、網戸３０、支持枠５０の詳細な構成についての説明は省略する。
ルーバー付障子１００は、図２、図３、図４のそれぞれに示すように、支持枠５０の上横枠に形成された障子用レール沿ってスライド自在に設けられた上横枠体６０と、支持枠５０の下横枠に形成された障子用レールに沿ってスライド自在に設けられた下横枠体７０と、上横枠体６０と下横枠体７０とをそれぞれ連結し、ルーバー付障子１００の縦枠を構成する縦枠体８０とを有している。
【００１７】
上横枠体６０は、上側横枠部材６２と上側横枠部材６２に対して鉛直方向に直交させた状態で上側横枠部材６２の両端部に取り付けられ、ルーバー付障子１００における縦枠材の一部を構成する上側縦枠部材６４を有している。上横枠体６０には上側縦枠部材６４に装着されたカバー体６６と、上側横枠部材６２と平行になる配列で上側縦枠部材６４間に掛け渡すようにして取り付けられたルーバー板６８が配設されている。上側横枠部材６２の上面には、支持枠５０の上横枠に形成された障子用レール（図示せず）を挟持するガイド体６２Ａが形成されている。上側縦枠部材６４には上側縦枠部材６４の室内側面とこれに連なる一側面を覆う断面形状がＬ字形に形成されたカバー体６６がねじ留めにより取り付けられている。カバー体６６の高さ寸法は、上側縦枠部材６４の高さ寸法よりも長尺寸法に形成されている。カバー体６６の正面側には、上横枠体６０と縦枠体８０とを連結する際におけるねじ留め用の長孔６６Ａが形成されている。
【００１８】
上横枠体６０には１枚のルーバー板６８が取り付けられている。ルーバー板６８は上側横枠部材６２に対して鉛直方向に直交させた状態で配設されている。ルーバー板６８は、ルーバー板６８の室外側表面が上側横枠部材６２および上側縦枠部材６４の室外側表面と面一状態となるようにして、上側横枠部材６２と上側縦枠部材６４に取り付けられている。図２からも明らかなように、上横枠体６０に取り付けられたルーバー板６８は、カバー体６６の高さ寸法よりも短く形成されている。このようにして形成された上横枠体６０の全体形状は、上横枠体６０を正面視した際にルーバー板６８の下端縁両側からカバー体６６が突出したコの字型に形成されている。
【００１９】
下横枠体７０は、下側横枠部材７２と下側横枠部材７２に対して鉛直方向に直交させた状態で下側横枠部材７２の両端部に取り付けられ、ルーバー付障子１００における縦枠材の一部を構成する下側縦枠部材７４を有している。下横枠体７０には下側縦枠部材７４に装着されたカバー体７６と、下側横枠部材７２と平行になる配列で下側縦枠部材７４間に掛け渡されるようにして取り付けられたルーバー板７８が取り付けられている。図３に示すように、下側横枠部材７２の下面には支持枠５０の下横枠に形成された障子用レール（図示せず）を挟持するガイド体７２Ａ（図４参照）が形成されている。カバー体７６は、下側縦枠部材７４にねじ留めにより取り付けられている。カバー体７６の高さ寸法は、下側縦枠部材７４の高さ寸法よりも長尺寸法に形成されている。カバー体７６の正面側には、下横枠体７０と縦枠体８０とを連結する際におけるねじ留め用の長孔７６Ａが形成されている。
【００２０】
下横枠体７０には１枚のルーバー板７８が取り付けられている。ルーバー板７８は下側横枠部材７２に対して鉛直方向に直交させた状態で配設されている。ルーバー板７８は、ルーバー板７８の室外側表面が下側横枠部材７２および下側縦枠部材７４の室外側表面と面一状態となるようにして、下側横枠部材７２と下側縦枠部材７４に取り付けられている。図２からも明らかなように、下横枠体７０に取り付けられたルーバー板７８は、カバー体７６の高さ寸法よりも短く形成されている。すなわち、下横枠体７０の全体形状は、下横枠体７０を正面視した際にルーバー板７８の上端縁両側からカバー体７６が突出したコの字型に形成されている。
以上説明したように本実施形態においては、ルーバー付障子１００の製造コストを低減させるために、上横枠体６０と下横枠体７０とを同一形状に形成しているが、上横枠体６０と下横枠体７０とをそれぞれ異なる形状に形成することもできる。
【００２１】
また、縦枠体８０は、縦枠部材８４に装着されたカバー体８６と、上横枠体６０および下横枠体７０に取り付けられたルーバー板６８，７８と平行な状態で、２本の縦枠部材８４間を掛け渡すようにして配設されたルーバー板８８とを有している。縦枠体８０の縦枠部材８４の縦方向の長さ寸法は、カバー体８６の縦方向の長さ寸法よりも長く形成されており、カバー体８６の上下両端から縦枠部材８４の一部がはみ出した状態に形成されている。縦枠部材８４のカバー体８６からのはみ出し量は、上横枠体６０における上側縦枠部材６４からのカバー体６６のはみ出し量および下横枠体７０における下側縦枠部材７４からのカバー体７６のはみ出し量以下に形成されている。
【００２２】
図４に示すように、縦枠体８０の上下方向に隣接するルーバー板８８の取り付け位置は、縦枠部材８４の室外側となる位置と、縦枠部材８４の室内側となる位置に交互に取り付けられている。また、室内側位置と室外側位置において上下に隣接するルーバー板８８は、縦枠体８０の高さ方向において隣接するルーバー板８８，８８，・・・どうしの高さ方向の一部が重複する配置で取り付けられている。
このようなルーバー板８８の配設形態によれば、雨天時に室外側から室内側に強風が吹いたとしても、上下に隣接するルーバー板８８，８８，・・・どうしの高さ方向における重複部分により雨が捕捉されることになるため、室内への雨の吹き込みを確実に防止することができる点において好都合である。
【００２３】
以上のように形成された上横枠体６０および下横枠体７０と縦枠体８０を高さ方向に連結することによりルーバー付障子１００が組み立てられる。具体的には、上横枠体６０と下横枠体７０のカバー体６６，７６のはみ出し部分に縦枠体８０の縦枠材８４を重複させるようにした状態でネジ止めすることによりルーバー付障子１００を組み立てることができる。
すなわち、上横枠体６０および下横枠体７０のカバー体６６，７６に対する縦枠部材８４の重複長さは適宜調整することができる。このようにして組み立てられたルーバー付障子１００の高さ寸法は、実際に取り付けられる支持枠５０の高さ寸法に対して正確に高さ寸法を合わせることができるため、支持枠５０にフィットし、ガタつきがなく円滑にスライド移動するルーバー付障子１００を提供することができる。
【００２４】
以上のようにして上横枠体６０および下横枠体７０を縦枠体８０に連結すると、上横枠体６０および下横枠体７０のルーバー板６８，７８と、縦枠体８０のルーバー板８８との高さ方向における重複量が多くなる場合があるものの、ルーバー付障子１００全体に対する通風量の損失はわずかであるため問題はない。
このように、ルーバー付障子１００の構造として複数部材による組み立て構造を採用することで、汎用性の高いルーバー付障子１００を提供することができる点においても好都合である。
【００２５】
（第２実施形態）
図５は第２実施形態におけるルーバー付障子１００を配設した引き違い方式の窓の概略構成を室内側から臨んだ正面図である。本実施形態においては、第１実施形態と共通する構成については第１実施形態と同符号を付すことにより詳細な説明を省略している。
本実施形態においては、ルーバー板６８，７８，８８の取り付け構成が特徴的である。具体的には、第１実施形態におけるルーバー板６８，７８，８８は、いずれも上側縦枠部材６４、下側縦枠部材７４、縦枠部材８４に直接取り付けした形態であるが、本実施形態においては、図５に示すように、上側縦枠部材６４、下側縦枠部材７４、縦枠部材８４に掛け渡した水平保持部材６９，７９，８９にルーバー板６８，７８，８８を取り付けしている。
また、ルーバー付障子１００の上横枠体６０、下横枠体７０、縦枠体８０のいずれかと室外側障子１０の上下いずれかの横枠部材に市販のストッパ部材９０を配設している点も第１実施形態と異なっている。
【００２６】
本実施形態におけるルーバー付障子１００の構成を採用することにより、第１実施形態におけるルーバー付障子１００に比較してルーバー付障子１００に対するルーバー板６８，７８，８８の取り付け強度および防犯性を向上させることができる点において好都合である。かかるルーバー板６８，７８，８８は、水平保持部材６９，７９，８９の室内側面と室外側面との間で高さ方向に沿って交互に取り付けされている。
【００２７】
以上、本考案にかかるルーバー付障子１００について実施形態に基づき詳細に説明をしたが、本考案におけるルーバー付障子１００は以上の実施形態に限定されるものではなく、本考案の要旨を変更しない範囲において適宜変更がなされたとしても本考案の技術的範囲に属するのはもちろんである。
例えば、以上の実施形態においては、ルーバー付障子１００は上横枠体６０、下横枠体７０、縦枠体８０の３分割構造（ルーバー付障子１００の縦枠が高さ方向に複数に分割されている構造）に形成され、ルーバー付障子１００を配設する窓の支持枠５０に合わせて上横枠体６０、下横枠体７０、縦枠体８０を組み立てる構成について説明しているが、この形態に限定されるものではなく、予め所定の寸法に組み立てられているルーバー付障子１００の構成を採用することもできる。
【００２８】
また、以上の実施形態におけるルーバー付障子１００は、縦枠部材８４を上下の横枠体６０，７０のカバー体６６，７６に差し込むようにして固定する連結形態を採用しているが、この連結形態に限定されるものではない。他のルーバー付障子１００の組み立て構造の一例としては、上下の横枠体６０，７０のカバー体６６，７６を上側縦枠部材６４および下側縦枠部材７４よりも短尺寸法に形成すると共に、縦枠体８０のカバー体８６を縦枠部材８４よりも長尺寸法に形成して、縦枠体８０のカバー体８６に、上下の横枠体６０，７０の上側縦枠部材６４および下側縦枠部材７４を差し込むようにして固定する連結形態や、以上の連結形態を適宜組み合わせた連結形態を採用することもできる。
【００２９】
また、ルーバー付障子１００は室外側障子１０が配設されているレールと同じレールに配設した実施形態について説明しているが、室内側障子２０が配設されているレールと同じレールに配設することも可能である。
そして、カバー体６６，７６，８６においては、断面Ｌ字形形状に形成されたカバー体６６，７６，８６を用いているが、断面コの字形形状や断面ロの字形形状に形成されたカバー体６６，７６，８６とすることもできる。
さらには、カバー体６６，７６，８６の装着を省略し、上横枠体６０、下横枠体７０、縦枠体８０を連結する際には専用の連結具を用いても良い。
【００３０】
また、縦枠体８０に取り付けたルーバー板８８は上下に隣接するルーバー板８８どうしが高さ方向に重複する配列で風の流通方向において上流側と下流側に交互に配設した形態としているが、縦枠体８０のルーバー板８８はこの配設形態に限定されるものではない。縦枠体８０のルーバー板８８を風の流通方向において上流側（縦枠体８０の室外側面）と下流側（縦枠体８０の室内側面）に交互に配設し、上下に隣接するルーバー板８８どうしを高さ方向に重複させない配列を採用することもできる。このような形態は、ルーバー付障子１００の室外側に配設されている網戸３０により雨をある程度捕捉することができるため、通気量を優先させる際において好都合である。
【００３１】
また、ルーバー板６８，７８，８８はいずれも鉛直方向に配設されている形態を示しているが、鉛直方向に対して室内側または室外側に傾斜させた状態で配設することもできる。
【符号の説明】
【００３２】
１０  室外側障子
２０  室内側障子
３０  網戸
５０  支持枠
６０  上横枠体
６２  上側横枠部材
６２Ａ，７２Ａ  ガイド体
６４  上側縦枠部材
６６，７６，８６  カバー体
６６Ａ，７６Ａ  長孔
６８，７８，８８  ルーバー板
６９，７９，８９  水平保持部材
７０  下横枠体
７２  下側横枠部材
７４  下側縦枠部材
８０  縦枠体
８４  縦枠部材
９０  ストッパ部材
１００  ルーバー付障子
【図１】
0003166824.tif 000003
【図２】
0003166824.tif 000004
【図３】
0003166824.tif 000005
【図４】
0003166824.tif 000006
【図５】
0003166824.tif 000007